(57)【要約】【課題】指詰め防止機構を備えた法面用昇降階段を提供する。【解決手段】固定フレーム１に一定間隔おきに配置した踏板３の端面３ａの一端部を固定フレーム１に枢着し、他端部を可動フレーム２に枢着して、可動フレーム２が固定フレーム１に重合するように折り畳み可能とし、固定フレーム１には、踏板角度固定用リンク５の一端部を枢着し、その他端部には可動フレーム２にスライド可能に支持されるスライダー７を軸着し、スライダー７には可動フレーム２側に一定ピッチで設けた踏板角度設定用ネジ孔９に螺合されるリンク固定ボルト８を取り付けた法面用昇降階段において、折り畳みに際し、スライダー７がネジ孔９列の一端側から他端側へスライドする時に可動フレーム２が固定フレーム１に重合する手前で両フレーム１，２の間隔が指詰めを防止できる程度Ｓとなるようにスライダー７のそれ以上のスライドを阻止する指詰め阻止部材１３を、ロック位置とロック解除位置とに切換可能に設ける。【選択図】図６
2006226067.tif 000002
【特許請求の範囲】
【請求項１】
左右一対の固定フレームに長さ方向一定間隔おきに配置した踏板の両端面の夫々一端部を固定フレームに枢着し、夫々他端部を可動フレームに枢着して、踏板を揺動可能とすると共に可動フレームが固定フレームに重合するように折り畳み可能とし、固定フレームには、踏板端面の両枢着部間距離より長い長さを有して踏板と交差する方向に位置する踏板角度固定用リンクの一端部を枢着し、このリンクの他端部には可動フレームにその長さ方向に沿ってスライド可能に支持されるスライダーを軸着すると共に、スライダーには可動フレーム側にその長さ方向一定ピッチで一列状に設けた踏板角度設定用ネジ孔に選択的に螺合されるリンク固定ボルトを取り付け、このボルトがネジ孔列の一端側に位置する程可動フレームと固定フレームとの間隔が広くなり、他端側に位置する程その間隔が狭くなる法面用昇降階段において、
折り畳みに際してスライダーが前記ネジ孔列の一端側から他端側へスライドする時に可動フレームが固定フレームに重合する手前で両フレームの間隔が指詰めを防止できる程度となるようにスライダーのそれ以上のスライドを阻止する指詰め阻止部材を、前記指詰め防止間隔を形成するロック位置と、可動フレームが固定フレームに重合し得るロック解除位置とに切換可能に設けてなることを特徴とする法面用昇降階段。
【請求項２】
指詰め阻止部材は、スライダーのスライド方向に長いガイド孔とこれの両端部からガイド孔と夫々直交する方向に連通する第１係止孔及び第２係止孔とでコ字状に形成されたボルト挿通孔を有するプレート材からなるもので、ボルト挿通孔を挿通して可動フレーム側に螺着される取付ボルトにより、スライダーのスライド方向とこれに直交する方向とにスライド可能に前記ネジ孔列の他端側に取り付けられていて、取付ボルトが第１係止孔に位置する時にロック位置となり、取付ボルトが第２係止孔に位置する時にロック解除位置となるようにしたことを特徴とする請求項１に記載の法面用昇降階段。
【発明の詳細な説明】
【技術分野】
【０００１】
本発明は、切土や盛土等の法面で作業を行う場合に使用される法面用昇降階段に関するものである。
【背景技術】
【０００２】
従来の法面用昇降階段として、特許公報等の公知文献を具体的に挙げることは出来ないが、現在使用されている法面用昇降階段を図１〜図５によって説明すると、図１の(a) は手摺Ｔを取り付けた状態での昇降階段Ｋの使用形態を示す外観斜視図、(b) は同昇降階段Ｋの側面図で、設置傾斜角度が最大の状態を実線で示し、また設置傾斜角度が最小の状態を仮想線で示している。図２の(a) は手摺Ｔを取り外した状態の昇降階段Ｋを設置傾斜角度が最大の状態（θmax ）で示す側面図、(b) は同昇降階段Ｋを設置傾斜角度が最小の状態（θmin ）で示す側面図であり、図３の(a) は図２の(b) の矢印イから見た昇降階段Ｋの端部の拡大平面図、(b) はその側面図、(c) は(a) の矢印ロから見た図面である。図４の(a) は図２の(b) の矢印ハで示す部分の拡大側面図、(b) は一部平面図である。図５の(a) は図４の(a) のニ−ニ線拡大断面図、(b) はリンク固定ボルト８が位置決め時の状態を示す断面図、(c) はスライダー７がスライドする時の状態を示す断面図である。
【０００３】
この昇降階段Ｋの構造を説明すると、左右一対の固定フレーム１，１に長さ方向一定間隔おきに配置した踏板３の両端面３ａ，３ａの夫々一端部を枢軸４ａで固定フレーム１に枢着し、夫々他端部を枢軸４ｂで可動フレーム２に枢着し、それにより各踏板３を揺動可能とすると共に、可動フレーム２が固定フレームに重合するように（図３の(b) 参照）折り畳み可能とする。しかして、固定フレーム１には、図４の(a) から分かるように、踏板端面３ａの両枢着部間距離ｎよりも長いリンク長Ｌを有して踏板３と交差する方向に位置する踏板角度固定用リンク５の一端部を枢軸６で枢着し、このリンク５の他端部には可動フレーム２にその長さ方向に沿ってスライド可能に支持されるスライダー７を後記リンク固定ボルト８を介して軸着する。このスライダー７には、可動フレーム２の側にその長さ方向一定ピッチで一列状に設けた踏板角度設定用ネジ孔９・・・・に選択的に螺合されるリンク固定ボルト８を、踏板角度固定用リンク５の他端部からスライダー７を貫通するように取り付ける。このリンク固定ボルト８は操作用ノブ１０を備えている。尚、踏板角度固定用リンク５の一端部は、固定フレーム１の外側部に取り付けられた取付部片２２に枢軸６で枢着される。
【０００４】
固定フレーム１及び可動フレーム２は夫々アルミ押出型材によって形成されたもので、可動フレーム２は、図５に示すようにリップ２ａ，２ａ付き溝形材からなる。スライダー７は、図４及び図５から分かるように、断面コ字状の枠片からなるもので、その両側壁７ａ，７ａ外面に形成された凹溝７ｂ，７ｂに可動フレーム２のリップ２ａ，２ａを嵌合させることによって、可動フレーム２にスライド可能に取り付けられる。各踏板角度設定用ネジ孔９は、可動フレーム２の底壁部２ｏからこの底壁部２ｏに取り付けた鋼板製帯板Ｍに亘って形成される。
【０００５】
またリンク固定ボルト８は、図５に示すように、踏板角度固定用リンク５の端部からスライダー７を貫通して、先端ネジ部８ａが可動フレーム２側の踏板角度設定用ネジ孔９にねじ込まれるもので、このボルト８の中間部に直交するように取り付けてあるストッパーピン１１と、スライダー７との間に介装したコイルバネ１２により、ネジ孔９に突入する方向に付勢されていて、スライダー７を可動フレーム２に沿ってスライドさせる時には、図５の(c) に示すようにコイルバネ１２の付勢力に抗してリンク固定ボルト８をネジ孔９から引き出し、ストッパーピン１１を、スライダー７の両側壁７ａ，７ａ内面に形成された凹部７ｏ，７ｏに掛止させておき、そして所要のネジ孔９にねじ込む時に、ボルト８を回してストッパーピン１１を凹部７ｏ，７ｏから離脱させると、コイルバネ１２の付勢力で図５の(b) に示すように先端ネジ部８ａがネジ孔９に突入し、ノブ１０を回転操作することにより、ネジ孔９にねじ込むことができる。
【０００６】
図４の(a) から分かるように、リンク固定ボルト８がネジ孔踏板角度設定用ネジ孔９列の一端側（ネジ孔９ａのある側）に位置する程、可動フレーム２と固定フレーム１との間隔が広くなり、その他端側（ネジ孔９ｂのある側）に位置する程その間隔が狭くなるようになっている。尚、各固定フレーム１の両端部には夫々掛止用フックＦが取り付けてあって、昇降階段Ｋの使用時に、法面に設置された固定枠の単管に掛止されるようになっている。また、左右一対の固定フレーム１，１は、その両端部どうしが夫々連結部材１４によって連結されている（図３の(a) 参照）。
【０００７】
上記のように構成される昇降階段Ｋを使用する時は、この昇降階段Ｋを固定フレーム１側が法面に沿うように設置し、そして法面の傾斜がどのような傾斜角度であっても、踏板３は水平姿勢に保持する必要があるから、踏板角度固定用リンク５の操作用ノブ１０を操作して、スライダー７をスライドさせながら、踏板３が水平姿勢となるようにリンク固定ボルト８を所要の踏板角度設定用ネジ孔９にねじ込んで締め付け、これによって全ての踏板３を一斉に所定角度に固定する。
【０００８】
しかして、法面での作業を終えて、昇降階段Ｋを撤去する際には、リンク固定ボルト８を緩めて、先端ネジ部８ａを可動フレーム２側のネジ孔９から抜き取れば、図４の(a) に示すように、スライダー７が、ネジ孔踏板角度設定用ネジ孔９列の一端側（ネジ孔９ａのある側）から他端側（ネジ孔９ｂのある側）へスライドして、踏板角度固定用リンク５が傾倒し、これによって可動フレーム２は固定フレーム１に重合するように折り畳まれることになる。
【発明の開示】
【発明が解決しようとする課題】
【０００９】
上記したような従来の昇降階段では、可動フレーム２及び踏板３を固定フレーム１側に折り畳む際に、リンク固定ボルト８を可動フレーム２側のネジ孔９から抜き取ると、スライダー７がネジ孔踏板角度設定用ネジ孔９列の一端側から他端側へスライドする、つまり可動フレーム２と固定フレーム１との間隔を狭める方向にスライドして、可動フレーム２が固定フレーム１に重合するようになるため、作業者が可動フレーム２と固定フレーム１との間に手指を挟む、いわゆる指詰めを起こすという問題があった。
【００１０】
本発明は、上記のような課題に鑑みてなされたもので、昇降階段を折り畳む際の作業者の指詰めを防止するようにした指詰め防止機構を備えた法面用昇降階段を提供することを目的とする。
【課題を解決するための手段】
【００１１】
上記課題を解決するための手段を、後述する実施形態の参照符号を付して説明すると、請求項１に係る発明は、左右一対の固定フレーム１，１に長さ方向一定間隔おきに配置した踏板３の両端面３ａ，３ａの夫々一端部を固定フレーム１に枢着し、夫々他端部を可動フレーム２に枢着して、踏板３を揺動可能とすると共に可動フレーム２が固定フレーム１に重合するように折り畳み可能とし、固定フレーム１には、踏板端面３ａの両枢着部４ａ，４ｂ間距離ｎより長い長さＬを有して踏板３と交差する方向に位置する踏板角度固定用リンク５の一端部を枢着し、このリンク５の他端部には可動フレーム２にその長さ方向に沿ってスライド可能に支持されるスライダー７を軸着すると共に、スライダー７には可動フレーム２側にその長さ方向一定ピッチで一列状に設けた踏板角度設定用ネジ孔９に選択的に螺合されるリンク固定ボルト８を取り付け、このボルト８がネジ孔９列の一端側に位置する程可動フレーム２と固定フレーム１との間隔が広くなり、他端側に位置する程その間隔が狭くなる法面用昇降階段において、折り畳みに際してスライダー７が前記ネジ孔９列の一端側から他端側へスライドする時に可動フレーム２が固定フレーム１に重合する手前で両フレーム１，２の間隔が指詰めを防止できる程度Ｓとなるようにスライダー７のそれ以上のスライドを阻止する指詰め阻止部材１３を、前記指詰め防止間隔Ｓを形成するロック位置Ｐ１と、可動フレーム２が固定フレーム１に重合し得るロック解除位置Ｐ２とに切換可能に設けてなることを特徴としている。
【００１２】
請求項２は、請求項１に記載の法面用昇降階段において、指詰め阻止部材１３は、スライダー７のスライド方向に長いガイド孔１５ａとこれの両端部からガイド孔１５ａと夫々直交する方向に連通する第１係止孔１５ｂ及び第２係止孔１５ｃとでコ字状に形成されたボルト挿通孔１５を有するプレート材からなるもので、ボルト挿通孔１５を挿通して可動フレーム２側に螺着される取付ボルト１６により、スライダー７のスライド方向とこれに直交する方向とにスライド可能に前記ネジ孔９列の他端側に取り付けられていて、取付ボルト１６が第１係止孔１５ｂに位置する時にロック位置Ｐ１となり、取付ボルト１６が第２係止孔１５ｃに位置する時にロック解除位置Ｐ２となるようにしたことを特徴としている。
【発明の効果】
【００１３】
上記解決手段による発明の効果を、後述する実施形態の参照符号を付して説明すると、請求項１に係る発明によれば、法面昇降階段に使用にあたり、指詰め阻止部材１３をロック位置Ｐ１に固定しておき、法面での作業を終えて昇降階段Ｋを撤去する際に、リンク固定ボルト８を緩めると、スライダー７はネジ孔踏板角度設定用ネジ孔９列の一端側から他端側方向へスライドし、これに伴い踏板角度固定用リンク５が傾倒して、可動フレーム２は固定フレーム１に接近する。こうしてネジ孔踏板角度設定用ネジ孔９列の一端側から他端側方向へスライドするスライダー７が、ロック位置Ｐ１に固定されている指詰め阻止部材１３に当たると、スライダー７はそれ以上のスライドを阻止され、これにより可動フレーム２は、固定フレーム１に対して指詰め防止間隔Ｓを保った状態に停止され、従って、作業者は可動フレーム２と固定フレーム１との間に誤って手指を差し込んだ場合に、その指を痛めるおそれがなく、作業の安全が確保される。
【００１４】
請求項２に係る発明によれば、指詰め阻止部材１３をロック位置Ｐ１からロック解除位置Ｐ２へ、またロック解除位置Ｐ２からロック位置Ｐ１へ切り換える操作が簡単となり、作業を能率良く行うことができる。
【発明を実施するための最良の形態】
【００１５】
以下に本発明の好適実施形態を図６〜図９によって説明すると、図６は本発明に係る指詰め防止機構Ａを備えた法面用昇降階段の要部を示したもので、従来の昇降階段Ｋを示す図４の(a) に対応する図面であり、図７〜図９は指詰め防止機構Ａの作用を説明する図面である。図７の(a) は図６の一部拡大図で、指詰め防止機構Ａの作動状態を示し、(b) は指詰め防止機構Ａの構造がよく分かるように示したもので、(c) のＸ−Ｘ線断面図、(c)
は(a) のＹ−Ｙ線断面図、(d) は(a) のＺ−Ｚ線断面図である。図８の(a) は指詰め防止機構Ａの作動を解除しようとしている状態を示したもので、図７の(a) と同様な図面であり、(b) は図７の(b) に対応する図面である。図９の(a) は指詰め防止機構Ａの作動を解除した状態を示したもので、図７の(a) と同様な図面であり、(b) は図７の(b) に対応する図面である。
【００１６】
尚、指詰め防止機構Ａ以外の構造については、「背景技術」の項において図１〜図５により説明した従来の昇降階段Ｋと同じであるため、図６〜図９において、前述の昇降階段Ｋと同じ部材には同一符号を付して、説明を省略する。
【００１７】
本発明に係る指詰め防止機構Ａは、可動フレーム２及び踏板３を固定フレーム１に対して折り畳む際に、スライダー７が可動フレーム２側に設けた一列状の踏板角度設定用ネジ孔９の一端側から他端側へスライドする時に、可動フレーム２が固定フレーム１に重合する手前で両フレーム１，２の間隔が指詰めを防止できる程度の間隔Ｓ（例えば３cm程度）となるようにスライダー７のそれ以上のスライドを阻止する指詰め阻止部材１３からなるもので、この指詰め阻止部材１３を、図６に示すような指詰め防止間隔Ｓを形成するロック位置Ｐ１と、このロック位置Ｐ１を過ぎて、可動フレーム２が固定フレーム１に重合し得るロック解除位置Ｐ２とに切換可能に設けている。
【００１８】
この指詰め防止機構Ａについて更に詳しく説明すれば、指詰め阻止部材１３は、スライダー７のスライド方向に長いガイド孔１５ａと、このガイド孔１５ａの両端部からこのガイド孔１５ａと夫々直交する方向に連通する第１係止孔１５ｂ及び第２係止孔１５ｃとでコ字状に形成されたボルト挿通孔１５を有するプレート材からなるもので、スライダー７の両側壁７ａ，７ａの端面に当接するストッパー片１３ａ，１３ｂを有し、ボルト挿通孔１５を挿通して可動フレーム２側に螺着される取付ボルト１６により、スライダー７のスライド方向とこれに直交する方向とにスライド可能に前記ネジ孔９列の他端側に取り付けられていて、取付ボルト１６が第１係止孔１５ｂに位置する時にロック位置Ｐ１となり、取付ボルト１６が第２係止孔１５ｃに位置する時にロック解除位置Ｐ２となるように構成されている。
【００１９】
図６に示すように、可動フレーム２には、スライダー７がスライドする方向に所要長さ範囲に亘って長孔１７が形成され、この長孔１７を臨む可動フレーム２の外側面には、踏板角度設定用ネジ孔９を一定ピッチで一列状に配設した鋼板製帯板Ｍがボルト１８，１６によって取り付けられ、これにより可動フレーム２の長孔１７内に踏板角度設定用のネジ孔９列が位置するようにしている。尚、鋼板製帯板Ｍを可動フレーム２に取り付けるボルト１８，１６のうちの一方のボルト１６は、指詰め阻止部材１３を可動フレーム２に取り付けるボルトでもある。
【００２０】
また、一端部を固定フレーム１側に枢軸６で枢着された踏板角度固定用リンク５の他端部には、可動フレーム２にその長さ方向に沿ってスライド可能に支持されるスライダー７が軸着されていると共に、スライダー７にリンク固定ボルト８が取り付けてあって、このリンク固定ボルト８が、可動フレーム２側の踏板角度設定用ネジ孔９列に選択的に螺合され、しかしてリンク固定ボルト８がネジ孔９列の一端側（ネジ孔９ａのある側）に位置する程、可動フレーム２と固定フレーム１との間隔が広くなり、その他端側（ネジ孔９ｂのある側）に位置する程その間隔が狭くなるようになっている。
【００２１】
指詰め阻止部材１３は、図６に示すように、スライダー７が踏板角度設定用ネジ孔９列の一端側（ネジ孔９ａのある側）から他端側（ネジ孔９ｂのある側）へスライドする時に可動フレーム２が固定フレーム１に重合する手前で両フレーム１，２の間隔が指詰めを防止できる程度の間隔Ｓ、例えば３cm程度となるような位置に取り付けられる。これは、可動フレーム２と固定フレーム１との間隔が３cm程度あれば、手の指を詰めるおそれがないからである。
【００２２】
この実施形態では、指詰め阻止部材１３は、図７の(a) 及び(b) に示すように、踏板角度固定用リンク５に取り付けられたリンク固定ボルト８が踏板角度設定用ネジ孔９列の他端側（ネジ孔９ｂのある側）から手前側へ例えば３つ目のネジ孔９と対向する位置にある時にスライダー７のそれ以上のスライドを阻止するように、ボルト１６によって可動フレーム２に取り付けられる。
【００２３】
この指詰め阻止部材１３の取付けにあたっては、図７の(a) 〜(d) から分かるように、取付ボルト１６を、指詰め阻止部材１３に形成されたコ字状のボルト挿通孔１５から可動フレーム２のボルト挿通孔１９に通して、可動フレーム２外面側にある鋼板製帯板Ｍのボルト挿通孔２０に挿通し、この取付ボルト１６の先端部にナット２１を螺着する。
【００２４】
図７の(a) 〜(d) は、指詰め阻止部材１３を、取付ボルト１６が指詰め阻止部材１３の第１係止孔１５ｂに位置するロック位置Ｐ１にセットして、この取付ボルト１６で可動フレーム２に締め付け固定した状態を示している。このロック位置Ｐ１において、指詰め阻止部材１３のストッパー片１３ａ，１３ｂがスライダー７の両側壁７ａ，７ａの端面に当接して、スライダー７の移動を制限し、可動フレーム２と固定フレーム１の間隔を、図６に示すような指詰め防止間隔Ｓに保持する。
【００２５】
図８の(a) ，(b) は、指詰め阻止部材１３をロック位置Ｐ１からロック解除位置Ｐ２へ切り換える際の動作を示したもので、取付ボルト１６を緩めれば、指詰め阻止部材１３は、スライダー７のスライド方向とこれに直交する方向とにスライド可能となるから、この指詰め阻止部材１３を図８に示すロック位置Ｐ１の状態から上向きにスライドさせて、取付ボルト１６を第１係止孔１５ｂから一旦ガイド孔１５ａに入れる。
【００２６】
そして、この後、指詰め阻止部材１３を図８(b) の矢印で示すように右方向へスライドさせて取付ボルト１６に当接させ、更に下向きにスライドさせることにより、指詰め阻止部材１３はロック解除位置Ｐ２に位置することになり、しかして取付ボルト１６を図９の(a) ，(b) に示すように第２係止孔１５ｃに係入させ、この状態で取付ボルト１６を締め付けることによって、指詰め阻止部材１３はロック解除位置Ｐ２に固定される。指詰め阻止部材１３がロック解除位置Ｐ２に固定されると、スライダー７が更にスライドして、可動フレーム２が固定フレーム１に重合当接することができる。
【００２７】
上記のような構成よりなる指詰め防止機構Ａを備えた法面昇降階段を使用する時には、「背景技術」の項で図１〜図５により説明した昇降階段Ｋの場合と同様に、昇降階段を、固定フレーム１側が法面に沿うように設置し、そして踏板角度固定用リンク５の操作用ノブ１０を操作して、スライダー７を可動フレーム２に沿ってスライドさせながら、踏板３が水平姿勢となるようにリンク固定ボルト８を所要の踏板角度設定用ネジ孔９にねじ込んで締め付けることにより、全ての踏板３を所定角度に固定する。この時、指詰め防止機構Ａの指詰め阻止部材１３を図７に示すようなロック位置Ｐ１に固定しておく。
【００２８】
しかして、法面での作業を終えて、昇降階段Ｋを撤去する際に、操作用ノブ１０を回してリンク固定ボルト８を緩め、図５の(c) に示すように、先端ネジ部８ａを可動フレーム２側のネジ孔９から抜き取って、ストッパーピン１１をスライダー７の凹部７ｏ，７ｏに掛止させた状態にすれば、スライダー７がネジ孔踏板角度設定用ネジ孔９列の一端側（ネジ孔９ａのある側）から他端側（ネジ孔９ｂのある側）方向へスライドし、これに伴い踏板角度固定用リンク５が傾倒して、可動フレーム２は固定フレーム１に接近する。
【００２９】
こうしてネジ孔踏板角度設定用ネジ孔９列の一端側から他端側方向へスライドするスライダー７が、ロック位置Ｐ１に固定されている指詰め阻止部材１３に当たると、スライダー７はそれ以上のスライドを阻止され、これにより可動フレーム２は、図６に示すように固定フレーム１に対して指詰め防止間隔Ｓを保った状態に停止される。従って、作業者は可動フレーム２と固定フレーム１との間に誤って手指を差し込んだ場合に、その指を痛めるおそれがなく、作業の安全が確保される。
【００３０】
この後、指詰め阻止部材１３をロック位置Ｐ１に固定している取付ボルト１６を緩めて、この指詰め阻止部材１３をロック位置Ｐ１からロック解除位置Ｐ２に切り換えることにより、スライダー７が更にスライドして、可動フレーム２が固定フレーム１に重合する。これによって可動フレーム２及び踏板３を固定フレーム１側に折り畳むことができる。
【００３１】
この実施形態の指詰め防止機構Ａは、指詰め阻止部材１３が、スライダー７のスライド方向に長いガイド孔１５ａとこれの両端部からガイド孔１５ａと夫々直交する方向に連通する第１係止孔１５ｂ及び第２係止孔１５ｃとでコ字状に形成されたボルト挿通孔１５を有するプレート材からなるもので、ボルト挿通孔１５を挿通して可動フレーム２側に螺着される取付ボルト１６によって、スライダー７のスライド方向とこれに直交する方向とにスライド可能に前記ネジ孔９列の他端側に取り付けられていて、取付ボルト１６が第１係止孔１５ｂに位置する時にロック位置Ｐ１となり、取付ボルト１６が第２係止孔１５ｃに位置する時にロック解除位置Ｐ２となるようにしたから、指詰め阻止部材１３をロック位置Ｐ１からロック解除位置Ｐ２へ、またロック解除位置Ｐ２からロック位置Ｐ１へ切り換える操作が簡単となり、作業を能率良く行うことができる。
【図面の簡単な説明】
【００３２】
【図１】図１の(a) は手摺を取り付けた状態での昇降階段の使用形態を示す外観斜視図、(b) は同昇降階段の側面図である。
【図２】(a) は手摺を取り外した状態の昇降階段を設置傾斜角度が最大の状態で示す側面図、(b) は同昇降階段を設置傾斜角度が最小の状態で示す側面図であり。
【図３】(a) は図２の(b) の矢印イから見た昇降階段Ｋの端部の拡大平面図、(b) はその側面図、(c) は(a) の矢印ロから見た図面である。
【図４】(a) は図２の(b) の矢印ハで示す部分の拡大側面図、(b) は一部平面図である。
【図５】(a) は図４の(a) のニ−ニ線拡大断面図、(b) はリンク固定ボルトが位置決め時の状態を示す断面図、(c) はスライダーがスライドする時の状態を示す断面図である。
【図６】本発明に係る指詰め防止機構を備えた法面用昇降階段の要部を示すもので、従来の昇降階段Ｋを示す図４の(a) に対応する図面である。
【図７】(a) は図６の一部拡大図であって、指詰め防止機構作動状態を示し、(b) は(c) のＸ−Ｘ線断面図、(c) は(a) のＹ−Ｙ線断面図、(d) は(a) のＺ−Ｚ線断面図である。
【図８】(a) は指詰め防止機構の作動を解除しようとしている状態を示したもので、図７の(a) と同様な図面であり、(b) は図７の(b) に対応する図面である。
【図９】(a) は指詰め防止機構の作動を解除した状態を示したもので、図７の(a) と同様な図面であり、(b) は図７の(b) に対応する図面である。
【符号の説明】
【００３３】
１            固定フレーム
２            可動フレーム
３            踏板
３ａ          踏板の端面
４ａ，４ｂ    踏板の枢軸（枢着部）
５            踏板角度固定用リンク
７            スライダー
８            リンク固定ボルト
９            踏板角度設定用ネジ孔
１０          操作用ノブ
Ａ            指詰め防止機構
１３          指詰め阻止部材
１５          ボルト挿通孔
１５ａ        ガイド孔
１５ｂ        第１係止孔
１５ｃ        第２係止孔
Ｐ１          ロック位置
Ｐ２          ロック解除位置
【図１】
2006226067.tif 000003
【図２】
2006226067.tif 000004
【図３】
2006226067.tif 000005
【図４】
2006226067.tif 000006
【図５】
2006226067.tif 000007
【図６】
2006226067.tif 000008
【図７】
2006226067.tif 000009
【図８】
2006226067.tif 000010
【図９】
2006226067.tif 000011